(57)【要約】【課題】  チューブから独立した特別なチューブの絞り具を使用しなくても、チューブ自体にチューブ尾端の巻き込みを保持することが出来るように大幅なコストダウンと使用性を高めたチューブとその絞り具を提供する。【解決手段】  先端に出口１Ａを有し尾端部１Ｂを偏平に封印した封印部１Ｃを有するチューブ１において、上記尾端部の封印部１Ｃに、短冊状に形成した長手方向Ａをチューブ１の長手方向Ｂと直交する方向に向け弱い力で変形される折曲片３Ｂ，３Ｃを両端に設けた可撓性板３の中腹部３Ａを付設させたチューブ体１００である。【選択図】図１
2010126254.tif 000002
【特許請求の範囲】
【請求項１】
先端に出口を有し尾端部を偏平に封印した封印部を有するチューブにおいて、上記尾端部の封印部に、短冊状に形成した長手方向Ａをチューブの長手方向と直交する方向に向け弱い力で変形される折曲片を両端に設けた可撓性板の中腹部を固着させたことを特徴とするチューブ体。
【請求項２】
先端に出口を有し尾端部を偏平に封印した封印部を有するチューブにおいて、上記尾端部の封印部に、短冊状に形成した長手方向Ａをチューブの長手方向と直交する方向に向け弱い力で変形される折曲片を両端に設けた可撓性板の中腹部を接着層で貼着させたことを特徴とするチューブ体。
【発明の詳細な説明】
【技術分野】
【０００１】  本発明は、例えば、歯磨チューブ等に入れられた内容物を最後まで出し切ることが出来るようにしたチューブ体の絞り器に関し、特に、内容物が無くなるチューブ尾端側から綺麗に巻き込み出来るようにしたチューブ体に係るものである。
【背景技術】
【０００２】  近年、歯磨チューブ等は、鉛製から樹脂製に代え替えされており、内容物が減少して使い切るにためは、図６（ａ）〜図６（ｃ）に示すように、（ａ）（ｂ）の新品時、（ｃ）の使用途中には、チューブ１の尾端１Ｂ側を手で押さえながら出口１Ａ側から押し出す操作が必要になる。そこで、内容物を使い切るには、チューブ１を巻き取りながら内容物を絞り出すものや、又はチューブ１を通す隙間を固定したチューブ絞り器が提供されている。【０００３】  上記絞り具によりチューブを巻きながら内容物を絞り出す方法は、絞り具を別の新品チューブに付け替える際は巻き戻して取り外す必要がある。また隙間を固定した方法ではその寸法によっては絞りが充分でなかったり、絞り出すときに動作が固くなったりしてスムーズに移動させることが出来なと言う欠点を持っている。そこで、チューブ絞り器は本体である板状の面にチューブが通る長穴を形成し長穴の長辺近傍にチューブを手で絞るための板状の突起を設けたもので、前記長穴で大まかなチューブの絞りが行われ、さらに板状の突起でチューブを指で挟みながら絞り出すとチューブの中身をきれいに絞ることができるチューブ絞り器が提案されている（例えば、特許文献１参照。）。【０００４】  また、別のチューブの絞り具は、ホルダーの上ロールと下ロールを所要の接触状態で配設し、両ロール間に前方開口部（通路）から後方開口部（通路）に向けてチューブを尾部から挿入し、チューブ内に残される中身を絞り出すチューブ絞り具において、上ロール２の一方の軸端にハンドルを連接し、ホルダーの下ロールの前方には支持板を揺動自在に設け、支持板には前後方向へスライド自在にかつ上下方向に進退自在に押圧軸を挿通し、押圧軸の上端に押圧子を接合し、下端に押圧ヘッド１１を接合する。このほか、ホルダーの上ロールの前方すなわち、上ホルダーの前方に押圧板を揺動自在に又は一体的に設けたり、下ロールをロールホルダーに軸支して押しネジ２２で下ロールを上下調節したり、押圧板に開口溝を設けて蓋板を開閉自在に設けるなどしたものである（例えば、特許文献２参照。）。【０００５】
【特許文献１】  特開２００４−５１２１６号
【特許文献１】  特開２００６−２７７２６号
【発明の開示】
【発明が解決しようとする課題】
【０００６】  上記従来の特開２００４−５１２１６号のチューブの絞り具は、チューブの絞り具を尾端側から出口側へ移動させることで、内容物が押し出されるものの尾端が長いままにあり、しかも長穴の隙間が適正でないと、即ち、広過ぎると内容物を完全に出し切れない問題点が指摘される。【０００７】  また、別の特開２００６−２７７２６号のチューブの絞り具は、チューブの絞り具を尾端側から出口側へ上下二つのロールで押さえつつ移動させることで、内容物が押し出されるものの尾端が長いままにあり、しかも二つのロール隙間が広過ぎると内容物を完全に出し切れず、それを防ぐべく、下ロールを上下調節したり、押圧板に開口溝を設けて蓋板を開閉自在に設ける手段が講じられているから機構・構造が複雑となりチューブの絞り具を高額なものとする問題点が指摘される。【０００８】  本発明は、上記各チューブの絞り具における問題点に鑑みてなされたもので、その目的は、チューブから独立した特別なチューブの絞り具を使用しなくても、チューブ自体にチューブ尾端の巻き込みを保持することが出来るように大幅なコストダウンと使用性を高めたチューブとその絞り具を提供することにある。
【課題を解決するための手段】
【０００９】  上記目的を達成するべく本発明の請求項１によるチューブ体は、先端に出口を有し尾端部を偏平に封印した封印部を有するチューブにおいて、上記尾端部の封印部に、短冊状に形成した長手方向をチューブの長手方向と直交する方向に向け弱い力で変形される折曲片を両端に設けた可撓性板の中腹部を固着させたことを特徴とする。【００１０】  また、本発明の請求項２によるチューブ体は、先端に出口を有し尾端部を偏平に封印した封印部を有するチューブにおいて、上記尾端部の封印部に、短冊状に形成した長手方向Ａをチューブの長手方向と直交する方向に向け弱い力で変形される折曲片を両端に設けた可撓性板の中腹部を接着層で貼着させたことを特徴とする。【００１１】  本発明の請求項１のチューブ体によると、チューブの内容物が減少してチューブ尾端部を巻き込む時は、チューブ尾端部を巻き込んだ状態に固定するために、尾端部に固着された可撓性板の両端片をチューブの本体側へ折り曲げ変形して保持させ、チューブ尾端の巻き戻り（開放）を拘束する。しかして、内容物の減少に伴う巻き込み作業時に、上記可撓性板の両端片の開放と拘束とを繰り返して行われる。また、可撓性板はチューブ尾端部に固着されたものであるから、使用中に外れることも無く、使用後にチューブを廃棄物として回収する時は、可撓性板を強制的に分離させて分別回収も容易となる。【００１２】  また、請求項２のチューブ体によると、請求項１のチューブ体と同様な使用方法によりチューブの巻き込み操作が行われる。そして、既存のチューブにおいて、尾端部に可撓性板を後から中腹部に設けた接着層で貼着させられる上、使用後にチューブを廃棄物として回収する時は、可撓性板を簡単に分離させられて分別回収も容易となる。
【発明の効果】
【００１３】  本発明のチューブ体は、可撓性板はチューブの尾端部に一体的に貼着されているから、内容物の減少に伴う巻き込み作業が簡便にでき、上記可撓性板の両端片の開放と拘束とを繰り返しても本体から外れることも無く、使用後にチューブを廃棄物として回収する時は、可撓性板を強制的に分離させて分別回収も容易にできる。【００１４】  また、チューブの絞り具は、既存のチューブの尾端部に可撓性板を一体的に後付けできるから、内容物の減少に伴う巻き込み作業が簡便にでき、上記可撓性板の両端片の開放と拘束とを繰り返しても本体から外れることも無く、使用後にチューブを廃棄物として回収する時は、可撓性板を極めて容易に分離させて分別回収も容易にできる。
【発明を実施するための最良の形態】
【００１５】  以下、図１乃至図３を参照して本発明の第１の実施の形態を説明する。図１はチューブ体の斜視図、図２（ａ）はチューブ体の平面図と背面図、図２（ｂ）は新品の側面図と背面図、図２（ｃ）は使用中の側面図と背面図、図３はチューブ体の作用図である。【００１６】  本発明のチューブ体１００は、下記のように構成されている。まず、図１と図２に示すように、全体構成から説明する。チューブ体１００は、先端に出口１Ａを有し尾端部１Ｂを偏平に封印した封印部１Ｃを有するチューブ１とし、上記尾端部の封印部１Ｃに、短冊状に形成した長手方向Ａをチューブ１の長手方向Ｂと直交する方向に向け弱い力で変形される折曲片３Ｂ，３Ｃを両端に設けた可撓性板（アルミ板他の材質も採用可能）３の中腹部３Ａに片側へ突出させた挟片３Ｄを備え、この中腹部３Ａと折り曲げ挟片３Ｄとで尾端部１Ｂを偏平に封印した封印部１Ｃを挟持して付設した状態に固着させたものからなる。この固着手段において、更に、強固に固着させるには、中腹部３Ａと挟片３Ｄとの挟持する表面に接着剤６を塗布させても良い。【００１７】  本発明のチューブ体１００は、上記のように構成されており、以下のように作用する。まず、図１〜図３に示すように、チューブ１の内容物が減少してチューブ１の尾端部１Ｂを巻き込む時は、チューブの尾端部を芯に巻き込んだ巻回部１′の状態に固定するために、尾端部に貼着された可撓性板３の両端折曲片３Ｂ，３Ｃをチューブの本体側へ折り曲げ変形して保持させ、チューブ尾端の巻き戻り（開放）を拘束する。しかして、内容物の減少に伴う巻き込み作業時に、上記可撓性板３の両端折曲片３Ｂ，３Ｃの開放と拘束とを繰り返して行われる。また、可撓性板３はチューブ尾端部に取り外し可能に固着されたものであるから、使用中に外れることも無く、使用後にチューブ１を廃棄物として回収する時は、金属性の可撓性板３を強制的に分離させて分別回収も容易となる。【００１８】  本発明のチューブ体１００における実施の形態によると、下記の効果が奏さられる。まず、本発明のチューブ体は、可撓性板３はチューブの尾端部に一体的に固着されているから、内容物の減少に伴うチューブの尾端部を芯に巻き込んだ巻回部１′の状態への巻き込み作業が簡便にでき、上記可撓性板３の両端折曲片３Ｂ，３Ｃの開放と拘束とを繰り返しても本体から外れることも無く、使用後にチューブ１を廃棄物として回収する時は、金属性の可撓性板３を強制的に分離させて分別回収も容易にできる。【００１９】  尚、本発明のチューブ体１００は、上記第１の実施の形態における構成に限定されず、その発明の要旨内での設計変更が自由にできる。例えば、図４と図５に示す第２の実施の形態のチューブ体２００としても良い。まず、チューブ体２００は、チューブ１の先端に出口１Ａを有し尾端部１Ｂを偏平に閉鎖した封印部１Ｃと、上記封印部に短冊状に形成して長手方向Ａをチューブの長手方向Ｂと直交する方向に向け中腹部５Ａに設けた接着層６で貼着させる可撓性板５とからなり、上記可撓性板５の両端となる折曲片５Ｂ，５Ｃをチューブ１の長手方向Ｂと直交する方向に向け弱い力で折り曲げ変形させられるものとした。【００２０】  本発明のチューブ体２００は、上記の様に構成されており、以下のように作用する。まず、図４と図５に示すように、上記第１の実施の形態のチューブ体１００に可撓性板３を固着した場合と、同様な作用が行われる。そして、既存の市販されているチューブ体において、尾端部１Ｂに対して、可撓性板５を後から中腹部５Ａに設けた接着層６で貼着させられる上、使用後にチューブを廃棄物として回収する時は、金属の可撓性板５を簡単に分離させられて分別回収も容易となる。【００２１】  本発明のチューブ体２００における実施の形態によると、下記の効果が奏さられる。まず、チューブ体は、既存のチューブ体の尾端部に可撓性板を後からでも一体的に固着できるから、内容物の減少に伴う巻き込み作業が簡便にでき、上記可撓性板の両端片の開放と拘束とを繰り返しても本体から外れることも無く、使用後にチューブ体を廃棄物として回収する時は、金属性の可撓性板を極めて容易に分離させて分別回収も容易にできる。
【産業上の利用可能性】
【００２２】  本発明のチューブ体は、その対象物を歯磨きチューブの実施例で説明したものであるが、様々な素材を充填するチューブ容器への適用が可能である。
【図面の簡単な説明】
【００２３】
【図１】本発明の第１の実施の形態を示し、チューブ体の斜視図である。
【図２】本発明の第１の実施の形態を示し、チューブ体の各説明図である。
【図３】本発明の第１の実施の形態を示し、チューブ体の作用図である。
【図４】本発明の第２の実施の形態を示し、チューブ体の斜視図である。
【図５】本発明の第２の実施の形態を示し、チューブ体の作用である。
【図６】従来のチューブ体とその使用法の説明図である。
【符号の説明】
【００２４】１            チューブ
１′          巻回部
１Ａ          出口
１Ｂ          尾端部
１Ｃ          封印部
３            可撓性板
３Ａ          中腹部
３Ｂ，３Ｃ    折曲片
３Ｄ          挟片
５            可撓性板
５Ａ          中腹部
５Ｂ，５Ｃ    折曲片
６            接着層
１００        チューブ体
２００        チューブ体
Ａ            可撓性板の長手方向
Ｂ            チューブの長手方向
【図１】
2010126254.tif 000003
【図２】
2010126254.tif 000004
【図３】
2010126254.tif 000005
【図４】
2010126254.tif 000006
【図５】
2010126254.tif 000007
【図６】
2010126254.tif 000008